【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器(UE)において、物理アップリンク制御チャネル(PUCCH)を介した通信のための複数の手順固有のアップリンク電力パラメータ、またはランダムアクセスチャネル(RACH)を介した通信のための複数の手順固有のアップリンク電力パラメータを示す電力構成情報を受信するステップと、
アップリンク送信と関連付けられるアップリンク手順に少なくとも部分的に基づいて、前記アップリンク送信のための前記PUCCHを介した通信のための前記複数の手順固有のアップリンクパラメータ、または前記RACHを介した通信のための前記複数の手順固有のアップリンク電力パラメータから手順固有のアップリンク電力パラメータを選択するステップと、
前記選択された手順固有のアップリンク電力パラメータに少なくとも部分的に基づいて、前記アップリンク送信に対する送信電力レベルを決定するステップと、
前記決定された送信電力レベルで、前記アップリンク手順に従って前記アップリンク送信を実行するステップと
を備える、方法。
【請求項２】
前記電力構成情報を受信するステップが、前記電力構成情報を備える無線リソース制御(RRC)メッセージを受信するステップを備える、請求項1に記載の方法。
【請求項３】
前記電力構成情報を受信するステップが、前記電力構成情報を備えるマスタ情報ブロック、前記電力構成情報を備えるシステム情報ブロック、またはこれらの組合せのうちの1つまたは複数を受信するステップを備える、請求項1に記載の方法。
【請求項４】
前記PUCCHを介した通信のための前記複数の手順固有のアップリンクパラメータまたは前記RACHを介した通信のための前記複数の手順固有のアップリンク電力パラメータが、
基本電力レベル、
前記1つまたは複数の送信手順の各々に対する基本電力レベルからのオフセット、または
前記1つまたは複数の送信手順の各々に対する手順固有の電力レベル
を備える、請求項1に記載の方法。
【請求項５】
前記選択される手順固有のアップリンク電力パラメータが、
リソースブロック当たりの基地局受信電力、基地局からのフィードバックを使用する閉ループパラメータ、もしくはこれらの組合せのうちの少なくとも1つ、
初期目標電力、プリアンブルフォーマットに対する電力オフセット、もしくは1回もしくは複数の再送信が行われるべきである場合の電力向上率のうちの少なくとも1つ、または
セル固有成分およびUE固有成分
を備える、請求項1に記載の方法。
【請求項６】
前記アップリンク手順が、ビーム障害復元手順、スケジューリング要求手順、チャネル状態情報基準信号(CSI-RS)報告手順、肯定応答/否定応答(ACK/NACK)手順、ハンドオーバ手順、サウンディング基準信号(SRS)手順、超高信頼性低レイテンシ通信(URLLC)手順、またはこれらの組合せのうちの少なくとも1つを備える、請求項1に記載の方法。
【請求項７】
ワイヤレス通信のための方法であって、
基地局において、物理アップリンク制御チャネル(PUCCH)を介した通信のための複数の手順固有のアップリンク電力パラメータ、またはランダムアクセスチャネル(RACH)を介した通信のための複数の手順固有のアップリンク電力パラメータを示す電力構成情報を生成するステップと、
前記電力構成情報をユーザ機器(UE)に送信するステップと、
前記電力構成情報に少なくとも部分的に基づく電力レベルでアップリンク送信を受信するステップと
を備える、方法。
【請求項８】
前記電力構成情報を送信するステップが、
前記電力構成情報を備える無線リソース制御(RRC)シグナリングを送信するステップ、または
前記複数の手順固有のアップリンク電力パラメータを備える、マスタ情報ブロック、システム情報ブロック、もしくはこれらの組合せを送信するステップ
を備える、請求項7に記載の方法。
【請求項９】
前記電力構成情報を生成するステップが、
前記UEのための基本電力レベルを生成するステップ
前記手順固有のアップリンク電力パラメータのうちの1つと関連付けられる各アップリンク手順のためのオフセットを生成するステップ、または
1つまたは複数のアップリンク手順の各々のための手順固有のアップリンク電力パラメータを生成するステップ
を備える、請求項7に記載の方法。
【請求項１０】
前記複数の手順固有のアップリンク電力パラメータのうちの少なくとも1つが、セル固有成分およびUE固有成分を備える、請求項7に記載の方法。
【請求項１１】
前記複数の手順固有のアップリンク電力パラメータのうちの1つが、ビーム障害復元手順、スケジューリング要求手順、チャネル状態情報基準信号(CSI-RS)報告手順、肯定応答/否定応答(ACK/NACK)手順、ハンドオーバ手順、超高信頼性低レイテンシ通信(URLLC)手順、またはこれらの組合せのうちの少なくとも1つに対応する、請求項7に記載の方法。
【請求項１２】
ワイヤレス通信のためのユーザ機器(UE)であって、
前記ユーザ機器(UE)において、物理アップリンク制御チャネル(PUCCH)を介した通信のための複数の手順固有のアップリンク電力パラメータ、またはランダムアクセスチャネル(RACH)を介した通信のための複数の手順固有のアップリンク電力パラメータを示す電力構成情報を受信するための手段と、
アップリンク送信と関連付けられるアップリンク手順に少なくとも部分的に基づいて、前記アップリンク送信のための前記PUCCHを介した通信のための前記複数の手順固有のアップリンクパラメータ、または前記RACHを介した通信のための前記複数の手順固有のアップリンク電力パラメータから手順固有のアップリンク電力パラメータを選択するための手段と、
前記選択された手順固有のアップリンク電力パラメータに少なくとも部分的に基づいて、前記アップリンク送信に対する送信電力レベルを決定するための手段と、
前記決定された送信電力レベルで前記アップリンク手順に従って前記アップリンク送信を実行するための手段と
を備える、ユーザ機器。
【請求項１３】
前記PUCCHを介した通信のための前記複数の手順固有のアップリンクパラメータまたは前記RACHを介した通信のための前記複数の手順固有のアップリンク電力パラメータが、
基本電力レベル、
前記1つまたは複数の送信手順の各々に対する基本電力レベルからのオフセット、または
前記1つまたは複数の送信手順の各々に対する手順固有の電力レベル
を備える、請求項12に記載のUE。
【請求項１４】
基地局において、物理アップリンク制御チャネル(PUCCH)を介した通信のための複数の手順固有のアップリンク電力パラメータ、またはランダムアクセスチャネル(RACH)を介した通信のための複数の手順固有のアップリンク電力パラメータを示す電力構成情報を生成するための手段と、
前記電力構成情報をユーザ機器(UE)に送信するための手段と、
前記電力構成情報に少なくとも部分的に基づく電力レベルでアップリンク送信を受信するための手段と
を備える、基地局。
【請求項１５】
ワイヤレス通信装置のプロセッサによって実施されたとき、前記ワイヤレス通信装置に、請求項1〜11のいずれか一項に記載の方法を実施させるプロセッサ実行可能な命令を備える、プロセッサ可読記憶媒体。